(57)【要約】      （修正有）【課題】左右のファスナーエレメント列の噛合時に強い横引き力を受けてもファスナーエレメントが表面側から見えない隠蔽性のある隠しスライドファスナー用ファスナーストリンガーを提供する。【解決手段】ファスナーストリンガー1はテープ主体部4とエレメント取付部5を持つファスナーテープ2とエレメント取付部5に織込れたファスナーエレメント3を備え、テープ主体部4の側縁がＵ字状に折り返され、エレメント3の噛合頭部7を外方に突出した隠しスライドファスナー用ファスナーストリンガー1でエレメント取付部5に、エレメント6の上下脚部8,9上を走行する複数本の上下固定用経糸23,24と前記エレメント6の上下脚部8,9間で交錯し、上脚部8と前記下脚部9を交互に跨ぐ様に走行する複数の締付用経糸25が配されている。又、下固定用経糸24のトータル繊度が、上固定用経糸23のトータル繊度よりも大きく構成されている。【選択図】図１
2008119076.tif 000002
【特許請求の範囲】
【請求項１】
テープ主体部(4)、及び前記テープ主体部(4)の側縁に形成されたエレメント取付部(5)を有する左右一対の織製されたファスナーテープ(2)と、前記ファスナーテープ(2)の織製と同時に前記エレメント取付部(5)に織り込まれた左右の連続状のファスナーエレメント列(3)とを備え、
前記ファスナーエレメント列(3)の各エレメント(6)は、噛合頭部(7)と、前記噛合頭部(7)から延出し、前記エレメント取付部(5)に織り込まれる上下脚部(8,9)と、隣接するエレメント(6)の前記上下脚部(8,9)間を連結する連結部(10)とを有し、
前記テープ主体部(4)の側縁がＵ字状に折り返され、前記ファスナーエレメント列(3)の前記噛合頭部(7)をＵ字状折返部(11)から外方に突出させてなる、
隠しスライドファスナー用のファスナーストリンガー(1,1')であって、
前記エレメント取付部(5)に、
前記ファスナーエレメント列(3)の各エレメント(6)の上脚部(8)及び下脚部(9)のそれぞれの外面上を経方向に走行する複数本の上固定用経糸(23,23')及び下固定用経糸(24,24',24")と、
前記エレメント(6)の前記上下脚部(8,9)間で交錯し、前記上脚部(8)と前記下脚部(9)とを交互に跨ぐように経方向に走行する複数本の締付用経糸(25)と、
が配されており、
複数の前記下固定用経糸(24,24',24")のうち、前記締付用経糸(25)よりも前記噛合頭部(7)側を走行する前記下固定用経糸(24,24')のトータル繊度が、前記締付用経糸(25)よりも前記噛合頭部(7)側を走行する前記上固定用経糸(23,23')のトータル繊度よりも大きく構成されてなる、
ことを特徴とするファスナーストリンガー。
【請求項２】
前記締付用経糸(25)よりも前記噛合頭部(7)側を走行する前記下固定用経糸(24)の単糸の繊度と、前記締付用経糸(25)よりも前記噛合頭部(7)側を走行する前記上固定用経糸(23)の単糸の繊度とが同一であり、
前記締付用経糸(25)よりも前記噛合頭部(7)側を走行する前記下固定用経糸(24)の本数が、前記締付用経糸(25)よりも前記噛合頭部(7)側を走行する前記上固定用経糸(23)よりも多く配されてなる、
請求項１記載のファスナーストリンガー。
【請求項３】
前記締付用経糸(25)よりも前記噛合頭部(7)側を走行する前記下固定用経糸(24')の本数と前記締付用経糸(25)よりも前記噛合頭部(7)側を走行する前記上固定用経糸(23') の本数とが同一であり、
前記締付用経糸(25)よりも前記噛合頭部(7)側を走行する前記下固定用経糸(24')の単糸の繊度が、前記締付用経糸(25)よりも前記噛合頭部(7)側を走行する前記上固定用経糸(23')の単糸の繊度よりも大きく形成されてなる、
請求項１又は２記載のファスナーストリンガー。
【請求項４】
前記ファスナーエレメント列(3)の各エレメント(6)間において、複数本の前記下固定用経糸(24,24',24")の下面側を走行し、前記エレメント(6)の前記連結部(10)側に配された少なくとも１本の前記下固定用経糸(24,24") を介して反転し、複数本の前記上固定用経糸(23,23')の上面側を走行するように緯入れされた緯糸(21)が、前記エレメント取付部(5)に配されてなる請求項１〜３のいずれかに記載のファスナーストリンガー。
【請求項５】
前記下固定用経糸(24,24',24")の下面側を走行する前記緯糸(21)と前記上固定用経糸(23,23')の上面側を走行する前記緯糸(21)とに交錯しながら経方向に走行し、前記上下固定用経糸(23,24)の緯方向の位置を規制する位置決め用経糸(26)が、前記エレメント取付部(5)に配されてなる請求項４記載のファスナーストリンガー。
【請求項６】
前記締付用経糸(25)よりも前記噛合頭部(7)側を走行する複数本の前記下固定用経糸(24,24')は、前記位置決め用経糸(26)によって複数の領域に区分されて配されてなる請求項５記載のファスナーストリンガー。
【請求項７】
前記位置決め用経糸(26)により区分された領域のなかで前記噛合頭部(7)に最も近い領域に、２本以上の前記下固定用経糸(24,24')が配されてなる請求項６記載のファスナーストリンガー。
【請求項８】
前記位置決め用経糸(26)によって区分された前記領域は、前記噛合頭部(7)に近い前記領域ほど、より多くの前記下固定用経糸(24,24')が配されてなる請求項６又は７記載のファスナーストリンガー。
【発明の詳細な説明】
【技術分野】
【０００１】
本発明は、左右一対のファスナーテープのエレメント取付部に沿って織り込まれた連続状のファスナーエレメント列を噛合させたときに、噛合したファスナーエレメント列がテープ表面から見えなくなる隠しスライドファスナー用のファスナーストリンガーに関する。
【背景技術】
【０００２】
隠しスライドファスナーは、左右のファスナーテープに沿って織り込まれたファスナーエレメント列を噛合させることにより、ファスナーエレメント列を見えなくするという隠蔽性を有している。このため、隠しスライドファスナーは、その隠蔽性から製品のデザイン性を妨げないという利点を生かして各種衣類や靴等の製品に好適に使用されている。
【０００３】
このような隠しスライドファスナーの一例が、例えば特許第３４１４１１０号公報（特許文献１）や実開平２−１３２４１９号公報（特許文献２）に開示されている。例えば、前記特許文献１に記載されている隠しスライドファスナー５４は、図５に示したように、地経糸４８と地緯糸４９とによってファスナーテープ４２が織製されており、このファスナーテープ４２のエレメント取付部４７に、コイル状ファスナーエレメント列４１が噛合頭部４４をファスナーテープ４２の内側に向けて固定用経糸５１と固定用緯糸５２とによって織り込まれている。
【０００４】
また特許文献１では、ファスナーエレメント列４１の連結部４５側に複数本の芯紐５０が挿通されており、前記固定用経糸５１がファスナーエレメント列４１の上脚部４６上を走行して地緯糸４９に交絡させ、芯紐５０を上下脚部４６間に挟着している。更に、前記固定用緯糸５２は、芯紐５０間を走行する固定用経糸５１に交絡し、噛合頭部４４側の芯紐５０の外面を走行して地緯糸４９に交絡させている。
【０００５】
そして、このようにエレメント取付部４７にファスナーエレメント列４１が織り込まれたファスナーテープ４２のテープ主体部５５側を折り返して、ファスナーエレメント列４１の噛合頭部４４をその折返部から突出させた状態で、左右のファスナーエレメント列４１をスライダー部材５３の案内路に挿通することにより、隠しスライドファスナー５４が構成されている。これにより、簡単な織製手段によってファスナーエレメント列４１をファスナーテープ４２に強固に固定することが可能となり、更には、ファスナーエレメント列４１の各エレメント間の間隔（ピッチ）を安定させることができる。
【０００６】
一方、前記特許文献２に記載されている隠しスライドファスナーのファスナーストリンガー６１は、図６に示したように、地経糸７８と地緯糸７９とによってファスナーテープ６２が織製されており、このファスナーテープ６２の側縁に形成されたエレメント取付部８０に、コイル状ファスナーエレメント列６３が噛合頭部６５をファスナーテープ６２の内側に向けて織り込まれている。
【０００７】
この特許文献２のファスナーストリンガー６１において、ファスナーエレメント列６３は、各エレメント６８の上下脚部７０，７１に交錯して走行する締付用経糸７２，７３と、各エレメントの上脚部７０の上面７４上及び下脚部７１の下面７５上のそれぞれを経方向に走行する複数本の上固定用経糸７６及び下固定用経糸７７と、地緯糸７９とによって織り込まれており、前記特許文献１のような芯紐は配されていない。また特許文献２では、各上固定用経糸７６間や各下固定用経糸７７間には締付用経糸７２，７３が配されており、締付用経糸７２，７３よりも噛合頭部６５側には、上固定用経糸７６と下固定用経糸７７とが１本ずつ配されている。
【０００８】
このようなファスナーストリンガー６１を用いて隠しスライドファスナーを構成することにより、ファスナーエレメント列６３の各エレメント６８間の間隔が安定してチェーン割れが生じ難く、また、ファスナーエレメント列６３の織り込み部分の厚さを薄く形成して、柔軟性に優れた隠しスライドファスナーを得ることができる。
【特許文献１】特許第３４１４１１０号公報
【特許文献２】実開平２−１３２４１９号公報
【発明の開示】
【発明が解決しようとする課題】
【０００９】
近年、隠しスライドファスナーは、その利点を生かして、各種衣類や靴等の製品だけでなく、例えば自動車や列車の座席シート用シートカバー等の様々な製品にも、その用途が広がってきている。このため、隠しスライドファスナーには、様々な環境や条件で使用されても、隠蔽性、柔軟性、及び噛合強度等を確保できるようなより高い性能が要求されている。
【００１０】
例えば隠しスライドファスナーが自動車のシートカバーに使用される場合について具体的に説明すると、自動車の座席シートでは、一般的に、所定の形状に成形されたクッション体にシートカバーが被覆されている。このとき、シートカバーはクッション体の外形寸法よりも小さく形成されており、クッション体を圧縮状態で被覆することにより、外観形状に生じる緩みや変形などの発生を極力抑制するようにしている。
【００１１】
このため、隠しスライドファスナーがシートカバーに使用されていると、ファスナーエレメント列が噛合されるときや噛合状態にあるときに、ファスナーストリンガーのファスナーテープが左右両側から引っ張られる強い横引き力を受ける。従って、隠しスライドファスナーは、このような横引き力を受けても、その隠蔽性が損なわれないことが求められている。また、隠しスライドファスナーは、クッション体のクッション性や感触が損なわれないようにするため、例えば隠しスライドファスナー自体に柔軟性を持たせることやスライダー部材を小さく構成すること等も求められている。
【００１２】
しかし、例えば前記特許文献１に記載されている隠しスライドファスナー５４は、前述のようにファスナーエレメント列４１に複数本の芯紐５０が挿通されて構成されているため、ファスナーエレメント列４１の厚さが厚くなり柔軟性に欠ける。また、ファスナーエレメント列４１を挿通するスライダー部材５３のサイズが大きくなり、座席シートのクッション性や感触に違和感を与えるという不具合があった。
【００１３】
一方、前記特許文献２に記載されている隠しスライドファスナー用のファスナーストリンガー６１は、前述のように、ファスナーエレメント列６３の厚さが薄いため柔軟性に優れている。しかしながら、例えばファスナーテープ６２が左右両側から引っ張られるような強い横引き力を受けた際に、左右のファスナーテープ６２間に隙間が生じ易く、ファスナーエレメント列６３が表面側から見えてしまうため、隠しスライドファスナー特有の隠蔽性が損なわれるという問題があった。
【００１４】
本発明は上記従来の課題に鑑みてなされたものであって、その具体的な目的は、ファスナーエレメント列に芯紐が挿通されてなく、左右のファスナーエレメント列が噛合しているときに強い横引き力を受けても、ファスナーエレメント列が表面側から見えない優れた隠蔽性を有する隠しスライドファスナー用ファスナーストリンガーを提供することにある。
【課題を解決するための手段】
【００１５】
上記目的を達成するために、本発明により提供されるファスナーストリンガーは、基本的な構成として、テープ主体部、及び前記テープ主体部の側縁に形成されたエレメント取付部を有する左右一対の織製されたファスナーテープと、前記ファスナーテープの織製と同時に前記エレメント取付部に織り込まれた左右の連続状のファスナーエレメント列とを備え、前記ファスナーエレメント列の各エレメントは、噛合頭部と、前記噛合頭部から延出し、前記エレメント取付部に織り込まれる上下脚部と、隣接するエレメントの前記上下脚部間を連結する連結部とを有し、前記テープ主体部の側縁がＵ字状に折り返され、前記ファスナーエレメント列の前記噛合頭部をＵ字状折返部から外方に突出させてなる、隠しスライドファスナー用のファスナーストリンガーであって、前記エレメント取付部に、前記ファスナーエレメント列の各エレメントの上脚部及び下脚部のそれぞれの外面上を経方向に走行する複数本の上固定用経糸及び下固定用経糸と、前記エレメントの前記上下脚部間で交錯し、前記上脚部と前記下脚部とを交互に跨ぐように経方向に走行する複数本の締付用経糸と、が配されており、複数の前記下固定用経糸のうち、前記締付用経糸よりも前記噛合頭部側を走行する前記下固定用経糸のトータル繊度が、前記締付用経糸よりも前記噛合頭部側を走行する前記上固定用経糸のトータル繊度よりも大きく構成されてなることを最も主要な特徴とするものである。
【００１６】
この場合、前記締付用経糸よりも前記噛合頭部側を走行する前記下固定用経糸の単糸の繊度と、前記締付用経糸よりも前記噛合頭部側を走行する前記上固定用経糸の単糸の繊度とが同一であり、前記締付用経糸よりも前記噛合頭部側を走行する前記下固定用経糸の本数が、前記締付用経糸よりも前記噛合頭部側を走行する前記上固定用経糸よりも多く配されていることにより、前述のように下固定用経糸のトータル繊度を上固定用経糸よりも大きく構成することが好ましい。
【００１７】
また、前記締付用経糸よりも前記噛合頭部側を走行する前記下固定用経糸の本数と前記締付用経糸よりも前記噛合頭部側を走行する前記上固定用経糸の本数とが同一であり、前記締付用経糸よりも前記噛合頭部側を走行する前記下固定用経糸の単糸の繊度が、前記締付用経糸よりも前記噛合頭部側を走行する前記上固定用経糸の単糸の繊度よりも大きく形成されていることにより、下固定用経糸のトータル繊度を上固定用経糸よりも大きく構成することもできる。
【００１８】
本発明に係るファスナーストリンガーでは、前記ファスナーエレメント列の各エレメント間において、複数本の前記下固定用経糸の下面側を走行し、前記エレメントの前記連結部側に配された少なくとも１本の前記下固定用経糸を介して反転し、複数本の前記上固定用経糸の上面側を走行するように緯入れされた緯糸が、前記エレメント取付部に配されていることが好ましい。
【００１９】
また、前記下固定用経糸の下面側を走行する前記緯糸と前記上固定用経糸の上面側を走行する前記緯糸とに交錯しながら経方向に走行し、前記上下固定用経糸の緯方向の位置を規制する位置決め用経糸が、前記エレメント取付部に配されていることが好ましい。
【００２０】
更に本発明では、前記締付用経糸よりも前記噛合頭部側を走行する複数本の前記下固定用経糸は、前記位置決め用経糸によって複数の領域に区分されて配されていることが好ましい。
この場合、前記位置決め用経糸により区分された領域のなかで前記噛合頭部に最も近い領域に、２本以上の前記下固定用経糸が配されていることが更に好ましく、また、前記位置決め用経糸によって区分された前記領域は、前記噛合頭部に近い前記領域ほど、より多くの前記下固定用経糸が配されていることが更に好ましい。
【発明の効果】
【００２１】
本発明に係る隠しスライドファスナー用のファスナーストリンガーは、連続状のファスナーエレメント列が織り込まれるエレメント取付部に、エレメントの上脚部及び下脚部のそれぞれの外面上を走行する複数本の上固定用経糸及び下固定用経糸と、エレメントの上下脚部間で交錯し、上脚部と下脚部とを交互に跨ぐように経方向に走行する複数本の締付用経糸とが配されている。また、複数の前記下固定用経糸のうち、締付用経糸よりもエレメントの噛合頭部側を走行する下固定用経糸のトータル繊度が、締付用経糸よりも噛合頭部側を走行する上固定用経糸のトータル繊度よりも大きく構成されている。
【００２２】
このような構成を有するエレメント取付部にファスナーエレメント列が織り込まれたファスナーストリンガーであれば、例えば隠しスライドファスナーを構成して、左右のファスナーエレメント列を噛合させた状態で強い横引き力を受けた場合でも、締付用経糸よりもエレメントの噛合頭部側を走行する複数の下固定用経糸が緻密に配されているため、下固定用経糸の位置がずれることはない。
【００２３】
このため、ファスナーテープのＵ字状折返部の位置が左右に開くことを防いで、左右のファスナーテープ間に隙間が生じることを効果的に防止することができる。従って、ファスナーエレメント列はファスナーテープの表面側から見えることはなく、強い横引き力を受けても隠しスライドファスナーの優れた隠蔽性を維持することができる。
【００２４】
また、本発明のファスナーストリンガーは、ファスナーエレメント列に芯紐を挿通せずに構成することができるため、ファスナーエレメント列の肉厚を薄くして適切な柔軟性を確保することができる。またこの場合、ファスナーエレメント列を挿通するスライダー部材を小さく構成することが可能となるため、例えば隠しスライドファスナーを自動車のシートカバーに使用しても、スライダー部材が座席シートのクッション性や感触に及ぼす影響を小さくすることができる。
【００２５】
本発明に係るファスナーストリンガーにおいて、下固定用経糸のトータル繊度を上固定用経糸よりも大きくするためには、締付用経糸よりも噛合頭部側を走行する下固定用経糸の単糸の繊度と、締付用経糸よりも噛合頭部側を走行する上固定用経糸の単糸の繊度とが同一であり、また、締付用経糸よりも噛合頭部側を走行する下固定用経糸の本数が、締付用経糸よりも噛合頭部側を走行する上固定用経糸よりも多く配されるようにしてエレメント取付部を構成すれば良い。これにより、ファスナーテープを織製するときに、例えば上固定用経糸及び下固定用経糸の単糸として同じ糸を使用することができる。このため、ファスナーストリンガーのコストダウンを図ることが可能となるとともに、織機における上固定用経糸の供給部と下固定用経糸の供給部とを同じような構成で形成し、織機の構造を簡単にすることも可能となる。
【００２６】
また本発明において、下固定用経糸のトータル繊度を上固定用経糸よりも大きくするためには、締付用経糸よりも噛合頭部側を走行する下固定用経糸の本数と締付用経糸よりも噛合頭部側を走行する上固定用経糸の本数とが同一であり、また、締付用経糸よりも噛合頭部側を走行する下固定用経糸の単糸の繊度が、締付用経糸よりも噛合頭部側を走行する上固定用経糸の単糸の繊度に比べて大きくなるようにしてエレメント取付部を構成しても良い。これにより、下固定用経糸のトータル繊度を大きくするために下固定用経糸の本数を上固定用経糸よりも多く配さなくても良く、織機における筬の数を少なくすることが可能となる。その結果、例えば織機の小型化が図れることが可能となり、また、織製時における作業性の向上を図ることも可能となる。
【００２７】
本発明のファスナーストリンガーでは、ファスナーテープのエレメント取付部に、下固定用経糸の下面側を走行し、エレメントの連結部側に配された下固定用経糸を介して反転し、更に上固定用経糸の上面側を走行するように緯入れされた緯糸が配されている。このような緯糸が配されていることにより、ファスナーエレメント列をエレメント取付部に上下固定用経糸や締付用経糸とともに安定して織り込むことができ、ファスナーエレメント列を強固に固定することができる。
【００２８】
また、ファスナーテープのエレメント取付部には、下固定用経糸の下面側を走行する緯糸と上固定用経糸の上面側を走行する緯糸とに交錯しながら走行する位置決め用経糸が配されている。これにより、上下固定用経糸や締付用経糸の位置を規制して安定させることができ、経糸の位置がずれることや、経糸同士が上下に重なることを防ぐことができる。また、位置決め用経糸が緯糸に交錯することにより、緯糸が弛まないようにすることもできる。このため、エレメント取付部の織組織を安定させることができ、隠しスライドファスナーの隠蔽性や噛合強度を長期にわたって維持することができる。
【００２９】
更に本発明では、締付用経糸よりも噛合頭部側を走行する複数本の下固定用経糸が、位置決め用経糸によって複数の領域に区分されて配されている。これにより、締付用経糸よりも噛合頭部側を走行する複数の下固定用経糸の位置がずれることや、互いに隣接する下固定用経糸が上下に重なることを防止できる。このため、エレメント取付部の織組織を更に安定させて、隠しスライドファスナーの隠蔽性を一層確実に維持することができる。
【００３０】
この場合、位置決め用経糸により区分された領域のなかで噛合頭部に最も近い領域に、２本以上の下固定用経糸、好ましくは３本以上の下固定用経糸が配されていることにより、位置決め用経糸よりも噛合頭部側に所定長さのエレメント取付部を緻密に形成することもできる。これにより、左右のファスナーテープのＵ字状折返部間の間隔が拡大することを防いで、隠しスライドファスナーの隠蔽性をより確実に維持することができる。
【００３１】
更に本発明において、位置決め用経糸によって区分された領域では、噛合頭部に近い領域ほど、より多くの下固定用経糸が配されている。これにより、例えばファスナーエレメント列を織り込みながらファスナーテープを編製した後、左右のファスナーエレメント列を噛合させたときに、下固定用経糸の位置がエレメントの連結部側に移動することを防ぎ、その一方で、上固定用経糸をエレメントの連結部側へ容易に移動させることができる。このため、隠しスライドファスナーの隠蔽性が損なわれずに、ファスナーエレメント列の噛合強度を高めることができる。
【発明を実施するための最良の形態】
【００３２】
以下、本発明の実施形態について、実施例を挙げて図面を参照しながら詳細に説明する。
【実施例１】
【００３３】
図１は、本発明の実施例１に係る隠しスライドファスナー用ファスナーストリンガーを噛合させたときの断面を示す断面図であり、図２は、一方のファスナーストリンガーを織製した直後の糸の配置を示す断面図であり、図３は、同ファスナーストリンガーの織組織を模式的に示す部分斜視図である。
【００３４】
なお、これらの図は本発明の特徴を理解し易くするために、緯糸及び各種の経糸を相対的に細く示し、また織込構造（織組織）を粗く示している。しかし実際には、ファスナーストリンガーとしての機能を考慮して、各種の緯糸及び経糸には所要の太さの糸条が使用され、また、織組織も緻密に構成されている。
【００３５】
本実施例１に係る隠しスライドファスナー用のファスナーストリンガー１は、織製された左右一対のファスナーテープ２と、ファスナーテープ２に織り込まれた左右のコイル状ファスナーエレメント列３とを備えており、ファスナーテープ２は、テープ主体部４と、このテープ主体部４の側縁に形成され、ファスナーエレメント列３が織り込まれるエレメント取付部５とを有している。
【００３６】
また、ファスナーエレメント列３は、合成樹脂製のモノフィラメントからコイル状に連続して成形された多数のエレメント６を有しており、各エレメント６は、噛合頭部７と、噛合頭部７から延びるように形成された上下脚部８，９と、上下脚部８，９の各延端部をテープ長手方向の前後に隣接するエレメント６の上下脚部８，９の何れかと連結する連結部１０とを有している。
【００３７】
このファスナーエレメント列３は、図３に示したように、噛合頭部７をファスナーテープ２の内側に向けた状態で、上下脚部８，９をファスナーテープ２の織製と同時にエレメント取付部５に織り込むことにより、ファスナーテープ２に取り付けられている。そして、ファスナーエレメント列３を織り込みながらファスナーテープ２を織製した後に、テープ主体部４の側縁をＵ字状に折り返して、ファスナーエレメント列３の噛合頭部７をそのＵ字状折返部１１から外方に突出させた状態で熱セットを行うことにより、本実施例１の隠しスライドファスナー用ファスナーストリンガー１が得られる。
【００３８】
本実施例１のファスナーストリンガー１におけるファスナーテープ２の織組織は、図３に示したように、経糸の開口内にキャリアーバーを往復動させて地緯糸２１を緯入することにより形成されており、テープ主体部４は双糸からなる地緯糸２１と地経糸２２とにより織製されている。また、テープ主体部４のエレメント取付部５が形成される側とは反対側の端部には、図示せぬ編み針が差し通され、次位の地緯糸を順次引っ掛けてループ折り返し端を連結することにより、耳部１２が形成されている。
【００３９】
また、ファスナーテープ２のエレメント取付部５は、図２及び図３に示したように、各エレメント６の下脚部９の下面側を経方向に走行する１０本の下固定用経糸２４と、エレメント６の上脚部８の上面側を経方向に走行する４本の上固定用経糸２３と、エレメントの上下脚部８，９間で交錯するように経方向に走行する４本の締付用経糸２５と、上下固定用経糸２３，２４の緯方向の位置を規制する位置決め用経糸２６と、テープ主体部４から緯入れされた地緯糸２１とにより構成されている。
【００４０】
前記下固定用経糸２４は、織製時にテープ主体部４の織組織と略同一面上に配されている。また、締付用経糸２５よりもエレメント６の噛合頭部７側の部分には、６本の下固定用経糸２４が配されている。また、締付用経糸２５よりもエレメント６の連結部１０側には２本の下固定用経糸２４が配されており、この２本の下固定用経糸２４によって地緯糸２１を反転させる反転部１３を形成している。更に、２組の締付用経糸２５の間には、２本の下固定用経糸２４が配されている。このような１０本の下固定用経糸２４をエレメント６の下脚部９の下面側に配することにより、ファスナーエレメント列３を載置して支持することが可能な取付面を安定して形成することができる。
【００４１】
前記上固定用経糸２３は、締付用経糸２５よりもエレメント６の噛合頭部７側と連結部１０側とに２本ずつ配されており、これらの２本１組の上固定用経糸２３は、エレメント６の上脚部８側を走行する地緯糸２１を下脚部９側に向けて折り曲げる折曲部１４を形成している。また、噛合頭部７側に配された２本の上固定用経糸２３は、織製直後の状態において、図２に示すように、地緯糸２１によって上脚部８側に押さえられているだけである。このため、例えばファスナーテープ２を織製した後に、地緯糸２１の上脚部８と下脚部９との間で縦に走行する縦走行部１５が連結部１０側に向けて押し込まれることにより、上固定用経糸２３は上脚部８上で連結部１０側に向けて容易に移動させられる。
【００４２】
なお、本実施例１では、地緯糸２１を反転させる反転部１３や地緯糸２１を折り曲げる折曲部１４には、下固定用経糸２４又は上固定用経糸２３が２本ずつ配されている。これにより、エレメント取付部５の端部における強度を高めることができ、例えば地緯糸２１によって反転部１３や折曲部１４に対して大きな負荷がかかっても、反転部１３や折曲部１４に毛羽立ちが生じたり、また、上下固定用経糸２３，２４が容易に切断されたりすることを防ぐことができる。
【００４３】
前記締付用経糸２５は、エレメント６の上下脚部８，９間で交錯し、上脚部８と下脚部９とを交互に跨ぐことにより上下脚部８，９を上下方向で締め付けるようにして走行している。また、この締付用経糸２５は、走行方向が上下対称となる隣接した２本の締付用経糸２５を１組として、２組の締付用経糸２５が所定の間隔をあけて配されている。このような締付用経糸２５が配されていることにより、ファスナーエレメント列３をエレメント取付部５へ強固に織り込むことができるとともに、織り込まれたファスナーエレメント列３の各エレメント６間のピッチを安定させることができる。
【００４４】
前記位置決め用経糸２６は、下固定用経糸２４の下面側を走行する地緯糸２１と上固定用経糸２３の上面側を走行する地緯糸２１とに交錯しながら経方向に走行しており、４本の位置決め用経糸２６がエレメント取付部５に配されている。このような位置決め用経糸２６が配されていることにより、エレメント取付部５にファスナーエレメント列３をより安定して固定することができ、また、地緯糸２１が弛むことを防ぐことができる。
【００４５】
また、これら４本の位置決め用経糸２６のうちの１本は、締付用経糸２５よりもエレメント６の連結部１０側に配されており、エレメントの連結部１０側に配した２本の上固定用経糸２３の位置を規制している。また、２組の締付用経糸２５間にも１本の位置決め用経糸２６が配されており、この１本の位置決め用経糸２６と２組の締付用経糸２５とにより、２本の下固定用経糸２４の位置を規制している。本実施例１では、このような連結部１０側に配されている位置決め用経糸２６によって、上下固定用経糸２３，２４の位置が左右幅方向にずれることを防いで、ファスナーエレメント列３の固定を安定させている。
【００４６】
更に、締付用経糸２５よりもエレメント６の噛合頭部７側に配された２本の位置決め用経糸２６は、締付用経糸２５よりもエレメント６の噛合頭部７側に配された６本の下固定用経糸２４の位置を規制している。特に、締付用経糸２５よりもエレメント６の噛合頭部７側は、２本の位置決め用経糸２６によって３つの領域に区分されており、それぞれの領域には、噛合頭部７側から、３本の下固定用経糸２４、２本の下固定用経糸２４、１本の下固定用経糸２４が分けて配されるように、下固定用経糸２４の位置が規制されている。
【００４７】
このように噛合頭部７側に配された６本の下固定用経糸２４が位置決め用経糸２６によって規制されていることによって、下固定用経糸２４の位置がずれることや、複数の下固定用経糸２４が上下に重なることを防いで、エレメント取付部５の織組織を安定させることができる。
【００４８】
特に本実施例１では、噛合頭部７に近い領域ほど多くの下固定用経糸２４が配されているため、例えばファスナーテープ２の編製後に左右のファスナーエレメント列３を噛合させたときに（図１を参照）、噛合頭部７側に配された６本の下固定用経糸２４がエレメント６の連結部１０側に移動することを防ぎ、その一方で、上固定用経糸２３を連結部１０側に移動させ易くすることができる。
【００４９】
これにより、噛合頭部７に上固定用経糸２３や地緯糸２１がかかることを防ぐことができるため、ファスナーエレメント列３の噛合状態を安定させて噛合強度を高めることができ、しかも、６本の下固定用経糸２４は連結部１０側に移動しないため、左右のファスナーテープ２のＵ字状折返部１１間の距離が拡がることを防ぐことができる。
【００５０】
前記地緯糸２１は、ファスナーエレメント列３の各エレメント６間において、テープ主体部４から８本の下固定用経糸２４の下面側を走行し、エレメントの連結部１０側に配された２本の下固定用経糸２４（反転部１３）を介して反転してエレメント６の上脚部８側に向かい、４本の上固定用経糸の上面側を走行した後、上下脚部８，９間を縦方向に走行してテープ主体部４に戻るように緯入れされ、又は、その反対方向へ走行するように緯入れされている。このようにして地緯糸２１が緯入れされていることにより、エレメント６の上下脚部８，９を上固定用経糸２３及び下固定用経糸２４を介して挟み込むようにして織り込んで、エレメント取付部５に強固に固定することができる。
【００５１】
本実施例１において、ファスナーテープ２のテープ主体部４及びエレメント取付部５に配される地緯糸２１及び各種の経糸２２，２３，２４，２５，２６の各単糸には、３３０デシテックスの太さを有するポリエステル加工糸が用いられている。なお、本発明において、地緯糸及び各種の経糸の太さや材質は特に限定されるものではなく、ファスナーエレメント列３のサイズや隠しスライドファスナーの用途等に応じて、適宜変更することができる。
【００５２】
そして、図３に示したような織組織を有するファスナーストリンガー１を織製した後、得られたファスナーストリンガー１のテープ主体部４の側縁をＵ字状に折り返して、そのＵ字状折返部１１からファスナーエレメント列３の噛合頭部７を外方に突出させた状態で保持する。更に、そのファスナーストリンガー１に低温で熱セット処理を行うことによって、ファスナーストリンガー１の形状を予備的に安定させる。
【００５３】
続いて、左右のファスナーエレメント列３を図示しないスライダー部材に挿通し、そのスライダー部材を左右のファスナーエレメント列３に沿って摺動させることによって、左右のファスナーエレメント列３を噛合させる。このように左右のファスナーエレメント列３を噛合させることにより、図１に示したように、噛合頭部７側で上下脚部８，９間を上下に走行する地緯糸２１の縦走行部１５が、相対するエレメントの噛合頭部７によってエレメントの連結部１０側に押し込まれる。
【００５４】
また、この地緯糸２１の縦走行部１５が押し込まれることによって、締付用経糸２５よりも噛合頭部７側に配した２本の上固定用経糸２３と最も噛合頭部７側に配した位置決め用経糸２６とが、エレメントの連結部１０側に移動させられる。これにより、左右のファスナーエレメント列３の噛合を安定して行うことができる。
【００５５】
一方、締付用経糸２５よりも噛合頭部７側に配した６本の下固定用経糸２４は、締付用経糸２５よりも噛合頭部７側に配した上固定用経糸２３よりも本数が多く、且つ、緻密に引き揃えられている。このため、前述のように地緯糸２１の縦走行部１５が連結部１０側に押し込まれても、その位置がずれることはない。従って、ファスナーテープ２のＵ字状折返部１１の位置も、ファスナーエレメント列３に対してエレメントの連結部１０側に相対的に移動することはなく、左右のファスナーテープ２間に隙間が生じることを防ぐことができる。
【００５６】
その後、図１に示した噛合状態のファスナーストリンガー１に熱セット処理を行うことによって、ファスナーストリンガー１の形状を安定させるとともに、地緯糸２１及び各種の経糸２２，２３，２４，２５，２６を熱収縮させて、ファスナーテープ２の織組織を緻密化し、ファスナーエレメント列３をより強固に固定する。これにより、本実施例１のファスナーストリンガー１を備えた隠しスライドファスナーを構成することができる。なお、図１に示したファスナーストリンガー１においては、図面の下方側が隠しスライドファスナーを構成したときの表面側となる。
【００５７】
以上のような本実施例１のファスナーストリンガー１は、締付用経糸２５よりもエレメント６の噛合頭部７側を走行する下固定用経糸２４が、締付用経糸２５よりも噛合頭部７側を走行する上固定用経糸２３に比べて多くの本数で緻密に配され、締付用経糸２５よりもエレメント６の噛合頭部７側を走行する下固定用経糸２４のトータル繊度が、締付用経糸２５よりも噛合頭部７側を走行する上固定用経糸２３のトータル繊度よりも大きくなるように構成されている。
【００５８】
このため、例えば図１に示したようにファスナーエレメント列３が噛合している状態で、ファスナーテープ２が左右両側から引っ張られる強い横引き力を受けても、下固定用経糸２４の位置がずれることがない。従って、ファスナーストリンガー１の左右ファスナーテープ２間に隙間が生じることを効果的に防ぐことができ、ファスナーエレメント列３をテープ表面側から見えなくする優れた隠蔽性を維持することができる。
【００５９】
また、本実施例１のファスナーストリンガー１は、ファスナーエレメント列３に芯紐が挿通されていないため、ファスナーエレメント列３の厚さを薄くして、適切な柔軟性を備えることができる。更に、ファスナーエレメント列３に芯紐が挿通されていないことにより、ファスナーエレメント列３を挿通するスライダー部材を小さく構成することが可能となる。このため、例えば隠しスライドファスナーを自動車のシートカバーに使用しても、スライダー部材が座席シートのクッション性や感触に及ぼす影響を小さくすることができる。
【実施例２】
【００６０】
次に、本発明の実施例２に係る隠しスライドファスナー用ファスナーストリンガーについて図面を参照しながら説明する。ここで、図４は、本実施例２に係るファスナーストリンガーの織製した直後の糸の配置を示す断面図である。なお、本実施例２において、前記実施例１と同様の構成を有する部材については同じ符号を用いて表しており、これによってその部材の説明を省略することとする。
【００６１】
本実施例２に係るファスナーストリンガー１′において、ファスナーテープ２のエレメント取付部５は、各エレメント６の下脚部９の下面側を経方向に走行する８本の下固定用経糸２４′，２４″と、エレメント６の上脚部８の上面側を経方向に走行する６本の上固定用経糸２３′と、エレメントの上下脚部８，９間で交錯するように経方向に走行する４本の締付用経糸２５と、上下固定用経糸２３，２４の緯方向の位置を規制する位置決め用経糸２６と、テープ主体部４から緯入れされた地緯糸２１とにより構成されている。
【００６２】
前記下固定用経糸は、締付用経糸２５よりも噛合頭部７側に配された４本の第１下固定用経糸２４′と、２組の締付用経糸２５の間及び締付用経糸２５よりも連結部１０側に配された４本の第２下固定用経糸２４″とを有している。本実施例２において、第１下固定用経糸２４′の各単糸には、４５０デシテックスの太さを有するポリエステル加工糸が用いられており、第２下固定用経糸２４″の各単糸には、１５０デシテックスの太さを有するポリエステル加工糸が用いられている。このような第１及び第２下固定用経糸２４′，２４″を下脚部９の下面側に配することにより、ファスナーエレメント列３の取付面を安定して形成することができる。
【００６３】
前記上固定用経糸２３′は、締付用経糸２５よりもエレメント６の噛合頭部７側に４本配されており、その中で噛合頭部７に近い２本の上固定用経糸２３′は、上脚部８側を走行する地緯糸２１を下脚部９側に向けて折り曲げる折曲部１４を形成している。また、締付用経糸２５よりも連結部１０側には２本の上固定用経糸２３′が配されており、これらの２本の上固定用経糸２３′も折曲部１４を形成している。また、この上固定用経糸２３′の各単糸には、１５０デシテックスの太さを有するポリエステル加工糸が用いられている。
【００６４】
また、本実施例２において、締付用経糸２５よりも噛合頭部７側に配される第１下固定用経糸２４′と上固定用経糸２３′の本数は等しいものの、前述のように、第１下固定用経糸２４′の単糸における太さを４５０デシテックスに設定し、上固定用経糸２３′の単糸における太さを１５０デシテックスに設定している。
【００６５】
このように、上固定用経糸２３′よりも第１下固定用経糸２４′の単糸を太く形成したことにより、第１下固定用経糸２４′と上固定用経糸２３′の本数を等しくしても、締付用経糸２５よりもエレメント６の噛合頭部７側を走行する下固定用経糸２４のトータル繊度を、締付用経糸２５よりも噛合頭部７側を走行する上固定用経糸２３のトータル繊度よりも大きくして、第１下固定用経糸２４′を締付用経糸２５よりも噛合頭部７側を走行する上固定用経糸２３に比べて緻密に引き揃えることができる。
【００６６】
これにより、本実施例２における左右のファスナーストリンガー１′のファスナーエレメント列３を噛合させて、地緯糸２１の縦走行部１５が連結部１０側に押し込まれたときに、締付用経糸２５よりも噛合頭部７側に配した上固定用経糸２３′は連結部１０側に大きく移動するものの、４本の第１下固定用経糸２４′は連結部１０側に移動し難い。
【００６７】
更に、本実施例２のファスナーストリンガー１′においては、相対する左右のファスナーエレメント列３が噛合している状態で、ファスナーテープ２が左右両側から引っ張られる強い横引き力を受けても、下固定用経糸２４が緻密に引き揃えられているため、その位置がずれることはない。従って、ファスナーストリンガー１の左右ファスナーテープ２間に隙間が生じることを効果的に防ぐことができ、優れた隠蔽性を維持することができる。
【００６８】
また、本実施例２のファスナーストリンガー１′は、前記実施例１と同様に、ファスナーエレメント列３に芯紐が挿通されていないため、ファスナーエレメント列３の厚さを薄くして、適切な柔軟性を備えることができる。更に、ファスナーエレメント列３に芯紐が挿通されていないことにより、ファスナーエレメント列３を挿通するスライダー部材を小さく構成することが可能となる。
【００６９】
なお、本発明は、以上に説明した実施の形態に何ら限定されるものではなく、本発明と実質的に同一な構成を有し、かつ、同様な作用効果を奏しさえすれば、多様な変更が可能である。例えば、前記実施形態では、エレメント取付部５を構成する各種経糸の本数を具体的に例示して説明を行っているが、各種経糸の本数はファスナーエレメント列３のサイズや隠しスライドファスナーの用途等に応じて任意に変更することが可能である。
【００７０】
また、前記実施例１において、下固定用経糸２４及び上固定用経糸２３の各単糸における繊度を等しくしているものの、本発明では、下固定用経糸２４の各単糸における繊度を上固定用経糸２３よりも大きくすることも可能である。これにより、隠しスライドファスナーを形成した際に、隠しスライドファスナーの隠蔽性を更に確実に維持することが可能となる。なお、本発明では、締付用経糸２５よりも噛合頭部側を走行する下固定用経糸２４のトータル繊度が、上固定用経糸２３側よりも大きくなりさえすれば、下固定用経糸２４の各単糸における繊度を上固定用経糸２３よりも小さくすることも可能である。
【００７１】
また、前記実施例２において、締付用経糸２５よりも噛合頭部７側に配される第１下固定用経糸２４′と上固定用経糸２３′の本数を等しくしているものの、本発明では、第１下固定用経糸２４′の本数を締付用経糸２５よりも噛合頭部７側を走行する上固定用経糸２３に比べて多くすることも可能である。更に、第１下固定用経糸２４′のトータル繊度が、締付用経糸２５よりも噛合頭部７側を走行する上固定用経糸２３に比べて大きくなりさえすれば、第１下固定用経糸２４′の本数を締付用経糸２５よりも噛合頭部７側を走行する上固定用経糸２３に比べて少なくすることも可能である。
【００７２】
即ち、本発明においては、締付用経糸よりも噛合頭部側を走行する下固定用経糸のトータル繊度を、締付用経糸よりも噛合頭部側を走行する上固定用経糸のトータル繊度に比べて大きくすれば、隠しスライドファスナーを形成した際に、隠しスライドファスナーの優れた隠蔽性を確実に維持することができる。
【図面の簡単な説明】
【００７３】
【図１】本発明の実施例１に係る隠しスライドファスナー用ファスナーストリンガーを噛合させたときの断面を示す断面図である。
【図２】一方のファスナーストリンガーにおける織製した直後の糸の配置を示す断面図である。
【図３】同ファスナーストリンガーの織組織を模式的に示す部分斜視図である。
【図４】本発明の実施例２に係る隠しスライドファスナー用ファスナーストリンガーにおける織製した直後の糸の配置を示す断面図である。
【図５】従来の隠しスライドファスナー用ファスナーストリンガーの断面を示す断面図である。
【図６】従来の他の隠しスライドファスナー用ファスナーストリンガーの断面を示す断面図である。
【符号の説明】
【００７４】
１，１′          ファスナーストリンガー
２                ファスナーテープ
３                ファスナーエレメント列
４                テープ主体部
５                エレメント取付部
６                エレメント
７                噛合頭部
８                上脚部
９                下脚部
１０                連結部
１１                Ｕ字状折返部
１２                耳部
１３                反転部
１４                折曲部
１５                縦走行部
２１                地緯糸
２２                地経糸
２３，２３′        上固定用経糸
２４                下固定用経糸
２４′              第１下固定用経糸
２４″              第２下固定用経糸
２５                締付用経糸
２６                位置決め用経糸
【図１】
2008119076.tif 000003
【図２】
2008119076.tif 000004
【図３】
2008119076.tif 000005
【図４】
2008119076.tif 000006
【図５】
2008119076.tif 000007
【図６】
2008119076.tif 000008